(57)【要約】【課題】平日と休日とで出来上がり時刻を修正する必要が少ない加熱調理器を提供する。【解決手段】調理物（図示せず）を加熱するヒータ３と、調理条件の入力を行う操作部１０と、前記調理物の出来上がり時刻を設定する時キー（図示せず）、分キー（図示せず）と、時キー、分キーを操作可能にする予約キー（図示せず）と、調理状態等の各種情報を表示する表示部１１と、標準電波を受信して現在の時刻や曜日の設定を行う電波受信部９と、前記出来上がり時刻とその出来上がりの曜日を記憶する記憶部１２ｂと、前記予約キーにより時キー、分キーが操作可能な状態になると、前記記憶部１２ｂに記憶された前記出来上がり時刻を抽出しそれを初期値とする記憶抽出部１２ｃを備えたもので、使用者の使用実態に応じた予約時刻を初期値として使用でき便利である。【選択図】図１
2006026202.tif 000002
【特許請求の範囲】
【請求項１】
調理物を加熱する加熱部と、調理条件の入力を行う操作部と、前記調理物の出来上がり時刻を設定するタイマー部と、前記タイマー部を操作可能にする予約部と、調理状態等の各種情報を表示する表示部と、標準電波を受信して現在の時刻や曜日の設定を行う電波受信部と、前記出来上がり時刻とその出来上がりの曜日を記憶する記憶部と、前記予約部により前記タイマー部が操作可能な状態になると、前記記憶部に記憶された前記出来上がり時刻を抽出しそれを初期値とする記憶抽出部を備えた加熱調理器。
【請求項２】
記憶抽出部は、予約部によってタイマー部が操作可能な状態になると、一番早くタイマー調理可能な曜日と、記憶部に記憶された同じ曜日の出来上がり時刻を初期値として抽出する請求項１項に記載の加熱調理器。
【請求項３】
記憶部に、工場出荷時に初期値として既定の出来上がり時刻が記憶され、前記出来上がり時刻は、平日と休日で異なる請求項１又は２に記載の加熱調理器。
【請求項４】
平日と休日とで、表示部の表示方法に違いを持たせた請求項１〜３のいずれか１項に記載の加熱調理器。
【請求項５】
記憶抽出部は、予約部によってタイマー部が操作可能な状態になると、一番早くタイマー調理可能な曜日が月曜から金曜までの平日か、土曜、日曜の休日かを判断し、記憶部内に一番新しく記憶された同じ平日または休日のどちらかの出来上がり時刻を抽出して初期値とする請求項１、３又は４のいずれか１項に記載の加熱調理器。
【請求項６】
記憶部に記憶された月曜から金曜までの平日、土曜、日曜の休日のどちらかの出来上がり時刻を、予約部で直接選択して初期値とすることができる請求項５に記載の加熱調理器。
【発明の詳細な説明】
【技術分野】
【０００１】
本発明は、一般家庭で使用する予約機能を有する加熱調理器に関するものである。
【背景技術】
【０００２】
従来の、この種の加熱調理器では、２個の予約スイッチを備え、予約可能な状態になった時、１つの予約スイッチを操作すると、出来上がり時刻として、その予約スイッチでの前回の予約調理の際の予約時間を初期値とすると共にそれを表示して、予約設定を容易にしていた。他の予約スイッチについても同様である（例えば、特許文献１参照）。
【特許文献１】特開２００２−１７７１４３号公報
【発明の開示】
【発明が解決しようとする課題】
【０００３】
しかしながら、前記従来の加熱調理器の構成では、予約時間として表示されるのは、常に前回設定した時間であり、例えば毎日朝食として加熱調理器が予約使用されていたとき、平日と休日では朝食の時間は一定とは限らず、休日は平日より遅めになる家庭も多く、その為、平日使用した後、休日に予約する場合には平日に設定された予約時間から変更する必要があり、または、従来のように複数の予約スイッチを持たせても、毎日予約スイッチを使い分ける必要があった。
【０００４】
本発明は、上記従来の問題を解決するもので、使用者の各曜日毎の使用実態に応じて、予約時間を記憶し初期値として使用できる使い勝手の良い予約機能を有する加熱調理器を提供することを目的とする。
【課題を解決するための手段】
【０００５】
前記従来の課題を解決するために、本発明の加熱調理器は、調理物を加熱する加熱部と、調理条件の入力を行う操作部と、前記調理物の出来上がり時刻を設定するタイマー部と、前記タイマー部を操作可能にする予約部と、調理状態等の各種情報を表示する表示部と、標準電波を受信して現在の時刻や曜日の設定を行う電波受信部と、前記出来上がり時刻とその出来上がりの曜日を記憶する記憶部と、前記予約部により前記タイマー部が操作可能な状態になると、前記記憶部に記憶された前記出来上がり時刻を抽出しそれを初期値とする記憶抽出部を備えたもので、予約した出来上がり時刻が、曜日ごと記憶され、次回予約時に、記憶した出来上がり時刻を初期値とするので、使用者の使用実態に応じた予約時刻を初期値として使用でき便利である。また、現在の時刻と曜日の設定に標準電波を用いることで、使用者には何の手間もかけず正確にこれらの設定ができる。
【発明の効果】
【０００６】
本発明の加熱調理器は、使用者の各曜日の予約の使用実態に応じて、次回の予約時間の初期値とすることができるので、使用者は予約時間の再設定という余分な作業を廃することができる。
【発明を実施するための最良の形態】
【０００７】
第１の発明は、調理物を加熱する加熱部と、調理条件の入力を行う操作部と、前記調理物の出来上がり時刻を設定するタイマー部と、前記タイマー部を操作可能にする予約部と、調理状態等の各種情報を表示する表示部と、標準電波を受信して現在の時刻や曜日の設定を行う電波受信部と、前記出来上がり時刻とその出来上がりの曜日を記憶する記憶部と、前記予約部により前記タイマー部が操作可能な状態になると、前記記憶部に記憶された前記出来上がり時刻を抽出しそれを初期値とする記憶抽出部を備えたもので、予約した出来上がり時刻が、曜日ごと記憶され、次回予約時に、記憶した出来上がり時刻を初期値とするので、使用者の使用実態に応じた予約時刻を初期値として使用でき便利である。また、現在の時刻と曜日の設定に標準電波を用いることで、使用者には何の手間もかけず正確にこれらの設定ができる。
【０００８】
第２の発明は、特に、第１の発明の記憶抽出部は、予約部によってタイマー部が操作可能な状態になると、一番早くタイマー調理可能な曜日と、記憶部に記憶された同じ曜日の出来上がり時刻を初期値として抽出するもので、各曜日ごとの使用実態に応じた予約時刻を初期値として使用でき使い勝手がよい。
【０００９】
第３の発明は、特に、第１又は第２の発明の記憶部に、工場出荷時に初期値として既定の出来上がり時刻が記憶され、前記出来上がり時刻は、平日と休日で異なるもので、例えば、概ね休日は平日よりも遅めになることを考慮して、あらかじめ記憶させる休日用の出来上がり時間を、平日よりも遅くしておけば、使用者が初めて予約機能を使用する際にも直ちに使用でき使い勝手がよいものである。
【００１０】
第４の発明は、特に、第１〜３のいずれか１つの発明の平日と休日とで、表示部の表示方法に違いを持たせたもので、使用者には一目で、平日と休日のどちらの出来上がり時刻を表示しているかがわかり、休日に平日の出来上がり時刻の予約をしてしまうようなミスを防ぎ使い勝手がよい。
【００１１】
第５の発明は、特に、第１、第３又は第４のいずれか１つの発明の記憶抽出部は、予約部によってタイマー部が操作可能な状態になると、一番早くタイマー調理可能な曜日が月曜から金曜までの平日か、土曜、日曜の休日かを判断し、記憶部内に一番新しく記憶された同じ平日または休日のどちらかの出来上がり時刻を抽出して初期値とするもので、平日、休日の使用実態に応じた予約時刻を初期値として使用でき、記憶部の記憶容量も平日用と休日用だけですむのでコストも抑えることができる。
【００１２】
第６の発明は、特に、第５の発明の記憶部に記憶された月曜から金曜までの平日、土曜、日曜の休日のどちらかの出来上がり時刻を、予約部で直接選択して初期値とすることができるもので、平日でも、土曜、日曜で使用している休日用の予約時間を初期値として使用でき、反対に休日でも平日用の予約時間を初期値として使用できるので、土曜、日曜以外の祝日等の休日にも普段の休日の予約時間の設定ができ、より多様な使用が可能で便利である。
【００１３】
以下、本発明の実施の形態について、図面を参照しながら説明する。なお、この実施の形態によって本発明が限定されるものではない。
【００１４】
（実施の形態１）
本発明の第１の実施の形態における加熱調理器について、自動製パン機を例に、図１〜９を用いて説明する。
【００１５】
図１は、本実施の形態における自動製パン機の全体構成図である。
【００１６】
図１において、自動製パン機の本体１の内部に、パンを焼成する焼成室２を設けている。そして、焼成室２には、焼成室２を加熱する加熱部であるヒータ３と、パン生地を練る練り羽根４を有するパン焼き型５を設けている。練り羽根４はモータ６により駆動され、焼成室２には、焼成室２内の温度を検知するサーミスタ７と、イースト菌を投入するイースト投入装置８とを設けている。
【００１７】
商用電源１３は、本体１に電源を供給するものである。本体１内には、商用電源１３を接続すると、通信総合研究所が佐賀県の九州局と福島県の福島局から送信する、日本標準時刻の標準電波を受信して、現在時刻と曜日を設定する電波受信部９と、調理メニューの選択等調理条件の入力や調理の開始等の操作を行う操作部１０と、液晶で構成され選択されたメニュー及びでき上がり時間等の各種データを表示する表示部１１と、サーミスタ７、操作部１０からの信号を受けてヒータ３やモータ６、イースト投入装置８、表示部１１を内蔵された各種パンの調理方法に従って制御するマイクロコンピュータ１２を備えている。
【００１８】
さらに、マイクロコンピュータ１２内には、電波受信部９が受信した日本標準時刻の現在時刻を、マイクロコンピュータ１２に接続した３２．７６８ＫＨｚのパルス信号を発生する水晶振動子１４を用いてカウントしていく時計カウント部１２ａと、電気的保持を必要とせず、操作部１０によって設定されたタイマー調理の出来上がり時刻とその日の曜日を記憶する記憶部１２ｂと、タイマー調理時が可能になると記憶部１２ｂに記憶された出来上がり時刻の情報を取り出す記憶抽出部１２ｃを備えている。
【００１９】
以上のように構成された自動製パン機について、以下その動作、作用を説明する。
【００２０】
図２は、電波受信部９と時計カウント部１２ａの動作を表した動作図である。本体１に商用電源１３が接続されると、電波受信部９はステップ１において、標準時刻を送信する標準電波４０ＫＨｚまたは６０ＫＨｚのどちらか強い電波を受信する。図３は、日本の標準時刻を送信する標準電波の送信所の位置を表した地図であり、東日本を主にカバーする福島県にある福島局からは４０ＫＨｚの周波数で、西日本を主にカバーする佐賀県にある九州局からは６０ＫＨｚの周波数で送信される。つまり受信する場所によって、どちらか受信感度の良い電波を受信する。
【００２１】
図４は、電波によって送られる標準時刻の通常時の情報を表した図であり、全ての情報は日本標準時間の１分間で送られてくる。図４においてＭは日本標準時間の毎分０秒に発信される信号であり、Ｐは通常それぞれ９秒、１９秒、２９秒、３９秒、４９秒、５９秒に発信される信号である。その他の時間に関する情報は最初に日本標準時間の分の情報、Ｐの信号を挟んで時間の情報、以下１月１日からの通算日数、西暦の年情報（下２桁）、曜日は０から６までの数字で０が日曜日、以下１が月曜日、２が火曜日と続き最後の６で土曜日の情報がＰ信号を挟んで送られる。
【００２２】
これらの信号は、受信する周波数に関係なく同じ情報なので、電波受信部９は、この受信した信号で日本標準時間の現在時刻の時、分、２つ目のＰ信号で秒は１９秒であることが分かり、５つ目のＰ信号と最後のＰ信号に挟まれた曜日の情報で、電波受信部は図２のステップ２で現在時刻と曜日をセットし、時計カウント部１２ａに送る。本発明の実施の形態１において分は０分、時は１９時を受信し、曜日は水曜日で現在時刻として１９時０分１９秒とする。
【００２３】
時計カウント部１２ａは、電波受信部９が受信しセットした現在時刻の情報を受け取ると、図２のステップ３で水晶振動子１４から送られてくるパルス信号をカウントし、３２７６８回になるとＹＥＳとなりステップ４に移行する。３２．７６８ＫＨｚの水晶振動子１４ではパルス信号が３２７６８回で１秒になるので、ステップ４で現在時刻を＋１秒とする。このようにステップ３からステップ４間での動作を繰り返し、現在時刻をカウントする。現在時刻をカウントして午前０時になると曜日も次の曜日になる。
【００２４】
図５は、商用電源１３が投入された現在時刻が受信設定された状態の、操作部１０、表示部１１の詳細図であり、操作部１０内には、パンのメニューを選択するメニューキー１０ａ、タイマー調理で出来上がり時刻を設定するタイマー部であるところの時キー１０ｂ、分キー１０ｃ、タイマー部を操作可能にする予約部であるところの予約キー１０ｄ、加熱調理や使用者が設定したメニュー等の情報をキャンセルする切キー１０ｅ、調理を開始するスタートキー１０ｆを備えている。
【００２５】
表示部１１には、電波受信部９が受信した現在時刻１９時０分１９秒の水曜日であることをマイクロコンピュータ１２が表示部１１に表示している。
【００２６】
図６は、図５の状態から、メニューキー１０ａが操作された状態の表示部１１の詳細図であり、調理メニューとして「食パン」が選択されたことと、食パンの調理時間である４時間３０分を、現在時刻の時分桁の１９時０分にプラスした水曜日の２３時３０分を出来上がり時刻として表示している。
【００２７】
図７は、図６の状態から、予約キー１０ｄが操作されタイマー調理が準備され記憶抽出部１２ｃが動作した時の表示部１１の詳細図である。
【００２８】
次に、記憶抽出部１２ｃの動作について図８を用いて説明する。
【００２９】
図８において、記憶抽出部１２ｃはステップ５で、電波受信部９で受信した電源投入時の曜日を時計カウント部１２ａでカウントした今日の曜日を判断し、次のステップ６で記憶部１２ｂに記憶された同じ曜日の出来上がり時刻を呼び出す。例えば、今日が水曜日ならば７時０分の出来上がり時刻を呼び出す。なお、記憶部１２ｂには加熱調理器が工場出荷する前に、規定値として月曜日から金曜日までの平日は出来上がり時刻として７時０分が、土曜日、日曜日の休日用に８時０分が記憶されている。記憶抽出部１２ｃはステップ７で、記憶部１２ｂから呼び出した出来上がり時刻と現在の時刻に調理時間をプラスした時間を比較し予約可能な時間かどうか判断する。
【００３０】
図６において、現在時間に食パンの調理時間をプラスした最短の出来上がり時刻は、水曜日の２３時３０分であるため、記憶部１２ｂに記憶された水曜日の出来上がり時刻の７時０分は既に経過しているのでＮｏとなり、ステップ８で記憶部１２ｂから呼び出す曜日を次の曜日の木曜日にして、ステップ６に戻り、木曜日の出来上がり時刻７時０分を呼び出し、ステップ７で、最短の出来上がり時刻の、水曜日の２３時３０分よりも後になるため予約可能となり、記憶抽出部１２ｃは予約の出来上がり時刻の初期値として、ステップ９で木曜日の７時０分を表示部１１に表示する。
【００３１】
図９は、図６の状態で、現在の曜日が土曜日だった場合に予約キー１０ｄが操作され、タイマー調理が準備され記憶抽出部１２ｃが動作した時の表示部１１の詳細図である。動作図８に従い、記憶部１２ｂに記憶されている日曜の出来上がり時刻は８時０分のため、表示部１１には８時０分が出来上がり時刻の初期値として呼び出し表示される。また、記憶抽出部１２ｃは、表示部１１で休日の曜日である「日」曜を点滅させ、使用者に休日のタイマー調理であることを強調する。
【００３２】
記憶抽出部１２ｃによって、記憶部１２ｂから呼び出された出来上がり時刻の初期値は、時キー１０ｂ、分キー１０ｃによって変更可能で、変更した出来上がり時刻はスタートキー１０ｆによってタイマー調理が終了した後、記憶部１２ｂにその曜日の出来上がり時刻として新たに更新記憶される。
【００３３】
以上のように本実施の形態においては、標準電波を受信して現在時刻や現在の曜日の設定を行う電波受信部９と、調理物の出来上がり時刻を設定するタイマー部であるところの時キー１０ｂ、分キー１０ｃと、タイマー部を操作可能にする予約部であるところの予約キー１０ｄと、タイマー部によって設定された出来上がり時刻とその出来上がりの曜日を記憶する記憶部１２ｂと、予約部によりタイマー部が操作可能な状態になると、前記記憶部１２ｂのデータを抽出して出来上がり時刻の初期値とする記憶抽出部１２ｃを設けることにより、タイマー調理した出来上がり時刻が、曜日ごと記憶され、次回予約時に記憶した出来上がり時刻を初期値とするので、使用者の各曜日の使用実態に応じた予約時刻を初期値として使用でき、時キー１０ｂ、分キー１０ｃによって都度変更する手間も減り便利である。また、現在の時刻と曜日の設定に標準電波を用いることで、使用者には何の手間もかけずこれらの設定ができ、正確な設定が可能になる。
【００３４】
また、記憶部１２ｃには、工場出荷時に初期値として既定の出来上がり時刻が記憶され、この既定の出来上がり時刻は、月曜日から金曜日までの平日よりも、土曜日、日曜日の休日が遅くなっていることにより、使用者が初めて予約機能を使用する際に、概ね休日は平日よりも遅めになることを考慮して、出来上がり時刻の初期値となっているので、使用者にとって使い勝手がよい。
【００３５】
また、記憶抽出部１２ｃは表示部１１で休日の曜日である日曜を点滅させることにより、使用者は休日用のタイマー調理であることが一目で分かり、使い勝手がよい。
【００３６】
なお、本実施の形態において、予約部として予約キー１０ｄを設けたが、タイマー部である時キー１０ｂ、分キー１０ｃを直接操作して予約可能となる予約部の機能を兼用しても何ら問題ない。
【００３７】
なお、本実施の形態において、加熱調理器として自動製パン機を用いたが、その他タイマーによる予約機能を有する炊飯器等の加熱調理器を用いても同様の効果が得られるものである。
【００３８】
（実施の形態２）
本発明の第２の実施の形態における自動製パン機の動作について、図１０、１１を用いて説明する。なお、上記第１の実施の形態と同一部分については、同一符号を付してその説明を省略する。
【００３９】
図１０は、本実施の形態における自動製パン機の予約時の動作を示す動作図で、特に予約部であるところの予約キー１０ｄが操作されタイマー調理可能になったときの記憶抽出部１２ｃの動作図である。
【００４０】
図１０において記憶抽出部１２ｃはステップ５で、電波受信部で受信した曜日を時計カウント部１２ａでカウントした今日の曜日を判断し、次のステップ１０で今日の曜日が月曜日から金曜日の平日か、土曜日、日曜日の休日かを判断する。月曜日から金曜日の平日ならばＹｅｓとなりステップ１１に移行して、記憶部１２ｂに記憶された平日の出来上がり時刻の７時０分を呼び出す。
【００４１】
反対に土曜日、日曜日の休日ならばＮｏとなりステップ１２に移行して、記憶部１２ｂに記憶された休日の出来上がり時刻の８時０分を呼び出す。なお、記憶部１２ｂには加熱調理器が工場出荷される前に、規定値として月曜日から金曜日までの平日の出来上がり時刻として７時０分が、土曜日、日曜日の休日は８時０分が記憶されている。記憶抽出部１２ｃはステップ９で記憶部１２ｂに記憶されていた平日の７時０分または休日の８時０分を出来上がり時刻を初期値として表示部１１に表示する。
【００４２】
図１１は、記憶抽出部１２ｃによって記憶部１２ｂより平日の出来上がり時間を初期値とした時の表示部１１の詳細図であり、記憶部１２ｂに記憶された平日の出来上がり時間の７時０分を初期値として表示し、しかも「平日」用の出来上がり時刻であることを点灯表示している。
【００４３】
図１２は、記憶抽出部１２ｃによって記憶部１２ｂより休日の出来上がり時間を初期値とした時の表示部１１の詳細図であり、記憶部１２ｂに記憶された休日の出来上がり時間の８時０分を初期値として表示し、さらに「休日」用の出来上がり時刻であることを点滅表示している。
【００４４】
図１３は、本実施の形態における操作部１０の詳細図であり、操作部１０内には、記憶抽出部１２ｃを動作させず、今日の曜日に関係なく、直接記憶部１２ｂに記憶されている平日の出来上がり時間をタイマー調理の初期値として呼び出す予約部であるところの平日キー１０ｇと、直接記憶部１２ｂに記憶されている休日の出来上がり時間をタイマー調理の初期値として呼び出す予約部であるところの休日キー１０ｈとを設けている。
【００４５】
平日キー１０ｇが操作されると、出来上がり時刻の初期値として記憶部１２ｂに記憶されている平日の出来上がり時刻７時０分を抽出表示し、図１１の表示と同じ状態になる。また、休日キー１０ｈが操作されると、出来上がり時刻の初期値として記憶部１２ｂに記憶されている休日の出来上がり時刻８時０分を抽出表示し、図１２の表示と同じになる。
【００４６】
以上のように本実施の形態によれば、特に記憶抽出部１２ｃは、予約部であるところの予約キー１０ｄによってタイマー部であるところの時キー１０ｂ、分キー１０ｃが操作可能な状態になると、一番早くタイマー調理可能な曜日が月曜から金曜までの平日か、土曜、日曜の休日かを判断し、記憶部内に一番新しく記憶された同じ平日または休日のどちらかの出来上がり時刻を抽出して初期値として抽出することができるので、平日、休日の使用実態に応じた予約時刻を初期値として使用でき、記憶部１２ｂの記憶容量も平日用と休日用だけですむのでコストも抑えることができる。
【００４７】
また、本実施の形態において、特に予約部であるところの平日キー１０ｇ、休日キー１０ｈを設けることにより、記憶部１２ｂに記憶された月曜から金曜までの平日、土曜、日曜の休日の出来上がり時刻を直接選択して初期値とすることができるので、平日でも、土曜、日曜で使用している休日の予約時間を初期値として使用でき、反対に休日でも平日の予約時間を初期値として使用できるので、土曜、日曜以外の祝日等の休日にも普段の休日の予約時間の設定ができ、より多様な使用が可能となり便利である。
【産業上の利用可能性】
【００４８】
以上のように、本発明にかかる加熱調理器は、商用電源投入で自動的に正確な現在時刻と曜日が設定されると共に、使用者の各曜日の予約の使用実態に応じて、次回の予約時間の初期値とすることができるので、使用者は予約時間の再設定という余分な作業を廃することができるもので、予約機能を有する加熱調理器全般に適用できる。
【図面の簡単な説明】
【００４９】
【図１】本発明の実施の形態１における自動製パン機の全体構成図
【図２】同自動製パン機の電波受信部と時計カウント部の動作図
【図３】日本の標準時刻を送信する標準電波の送信所の位置を表した地図
【図４】標準電波によって送られる標準時刻の情報を表わした図
【図５】同自動製パン機の操作部、表示部の詳細図
【図６】同表示部の詳細図（メニュー選択時）
【図７】同表示部の詳細図（予約キー操作時）
【図８】同自動製パン機における記憶抽出部の動作図
【図９】同表示部の詳細図（土曜日に予約する場合）
【図１０】本発明の実施の形態２における自動製パン機の動作図
【図１１】同自動製パン機の表示部の詳細図（平日の場合）
【図１２】同表示部の詳細図（休日の場合）
【図１３】同自動製パン機の操作部の詳細図
【符号の説明】
【００５０】
３  ヒータ（加熱部）
９  電波受信部
１０  操作部
１０ｂ  時キー（タイマー部）
１０ｃ  分キー（タイマー部）
１０ｄ  予約キー（予約部）
１０ｇ  平日キー（予約部）
１０ｈ  休日キー（予約部）
１１  表示部
１２ｂ  記憶部
１２ｃ  記憶抽出部
【図１】
2006026202.tif 000003
【図２】
2006026202.tif 000004
【図３】
2006026202.tif 000005
【図４】
2006026202.tif 000006
【図５】
2006026202.tif 000007
【図６】
2006026202.tif 000008
【図７】
2006026202.tif 000009
【図８】
2006026202.tif 000010
【図９】
2006026202.tif 000011
【図１０】
2006026202.tif 000012
【図１１】
2006026202.tif 000013
【図１２】
2006026202.tif 000014
【図１３】
2006026202.tif 000015